(57)【特許請求の範囲】
【請求項１】
複数の住居棟で構成される集合住宅に用いられるインターホンシステムであって、
前記複数の住居棟の各々には、
各居室に設置される居室親機と、
前記居室親機を呼び出す呼出操作が可能な端末機器と、
インターホン回線を介して自棟内の前記各居室の居室親機と前記端末機器とを通信可能に接続する棟制御部と、
が備えられ、
前記端末機器または前記棟制御部は、外部ネットワークに接続された外部機器と通信可能であり、
前記外部機器を通信媒体として前記外部ネットワーク上のデータが前記端末機器または前記棟制御部へ転送され、
前記外部機器において所定のアプリケーションを起動させることにより、
前記端末機器または前記棟制御部と前記外部ネットワークとの間の通信を確立する通信確立部と、
前記外部ネットワークに前記データの更新情報があるか否かを判断する更新情報有無判定部と、
前記更新情報がある場合に、前記外部ネットワークから前記更新情報を前記端末機器または前記棟制御部へ転送する情報転送部と、が生成される、インターホンシステム。
【請求項２】
前記外部機器は、近距離無線通信手段により前記端末機器または前記棟制御部へ前記データを転送する、請求項１に記載のインターホンシステム。
【請求項３】
前記複数の住居棟の各々の前記棟制御部は、汎用プロトコルに従って通信が行われるネットワークを介して互いに接続されている、請求項１または２に記載のインターホンシステム。
【請求項４】
各居室に設置される居室親機と、前記居室親機を呼出可能な端末機器と、前記居室親機と前記端末機器とを通信可能に接続する棟制御部とをそれぞれ備えた複数の住居棟で構成される集合住宅に用いられるインターホンシステムに係るデータ転送方法であって、
前記端末機器または前記棟制御部と通信可能な外部機器に記憶された所定のアプリケーションを起動するステップと、
前記アプリケーションにより、前記外部機器と外部ネットワークとの通信を確立するステップと、
前記外部ネットワークに所定のデータの更新情報があるか否かを判断するステップと、
前記更新情報がある場合に、近距離無線通信手段により、前記外部機器を介して、前記端末機器または前記棟制御部と前記外部ネットワークとの間の通信を確立するステップと、
前記外部機器を通信媒体として、前記更新情報を前記外部ネットワークから前記端末機器または前記棟制御部へ転送するステップと、を備えている、データ転送方法。
【請求項５】
各居室に設置される居室親機と、前記居室親機を呼出可能な端末機器と、前記居室親機と前記端末機器とを通信可能に接続する棟制御部とをそれぞれ備えた複数の住居棟で構成される集合住宅に用いられるインターホンシステムに係るデータ転送方法であって、
前記端末機器または前記棟制御部と通信可能な外部機器に記憶された所定のアプリケーションを起動するステップと、
前記アプリケーションにより、前記端末機器または前記棟制御部と前記外部機器との通信を確立するステップと、
前記外部機器を介して前記端末機器または前記棟制御部と外部ネットワークとの通信を確立するステップと、
前記外部ネットワークに所定のデータの更新情報があるか否かを判断するステップと、
前記更新情報がある場合に、近距離無線通信手段により、前記外部機器を通信媒体として、前記更新情報を前記外部ネットワークから前記端末機器または前記棟制御部へ転送するステップと、を備えている、データ転送方法。
【発明の詳細な説明】
【技術分野】
【０００１】
本発明は、集合住宅に用いられるインターホンシステムおよび当該システムに係るデータ転送方法に関するものである。
【背景技術】
【０００２】
従来、複数の住居棟で構成される集合住宅向けのインターホンシステムがある。このインターホンシステムの構成では、各住居棟は、インターホン回線（インターホン専用線）を介して制御機と接続されている。
【先行技術文献】
【特許文献】
【０００３】
【特許文献１】特開２００４−２６０６７９号公報
【発明の概要】
【発明が解決しようとする課題】
【０００４】
上記のような多棟構成の住宅に対して、インターホンシステムを導入する場合、多棟を集中して制御する集中制御機を集中制御棟内に設置して、集中して管理している。また、各住居棟の管理室に設置された管理室親機や集合玄関機ごとに居住者情報や設定情報（例えば、集合玄関機の解錠コード等）を記録するために、コンピュータ等の外部機器を用いて、当該外部機器のメモリからデータ転送を指定している。この居住者情報等は外部機器に記録されているため、データ流出を防止するためのセキュリティ確保等の問題があった。
【０００５】
そこで、本発明は、各機器へのデータ転送の際のセキュリティが確保されたインターホンシステムおよび当該システムに係るデータ転送方法を提供することを目的とする。
【課題を解決するための手段】
【０００６】
上記目的を達成するために、本発明のインターホンシステムは、
複数の住居棟で構成される集合住宅に用いられるインターホンシステムであって、
前記複数の住居棟の各々には、
各居室に設置される居室親機と、
前記居室親機を呼び出す呼出操作が可能な端末機器と、
インターホン回線を介して自棟内の前記各居室の居室親機と前記端末機器とを通信可能に接続する棟制御部と、
が備えられ、
前記端末機器は、当該端末機器の端末情報が記憶された記憶部を有し、
前記端末機器または前記棟制御部は、外部ネットワークに接続された外部機器と通信可能であり、
前記外部機器を通信媒体として前記外部ネットワーク上のデータが前記端末機器または前記棟制御部へ転送される。
【０００７】
この構成によれば、端末機器や棟制御部に外部ネットワークからデータ転送をする際に外部機器が居住者情報や設定情報等を記憶することはないため、当該外部機器からのデータ流出を防ぐことができセキュリティを確保することができる。
【０００８】
また、本発明のインターホンシステムにおいて、
前記外部機器において所定のアプリケーションを起動させることにより、
前記端末機器または前記棟制御部と前記外部ネットワークとの間の通信を確立する通信確立部と、
前記外部ネットワークに前記データの更新情報があるか否かを判断する更新情報有無判定部と、
前記更新情報がある場合に、前記外部ネットワークから前記更新情報を前記端末機器または前記棟制御部へ転送する情報転送部と、が生成されても良い。
【０００９】
この構成によれば、外部機器に記憶されたアプリケーションを起動させるだけの簡便な構成で、外部ネットワーク上の更新情報をインターホンシステム内の端末機器や棟制御部に転送することができる。
【００１０】
また、本発明のインターホンシステムにおいて、
前記外部機器は、近距離無線通信手段により前記端末機器または前記棟制御部へ前記データを転送しても良い。
【００１１】
この構成によれば、外部機器を端末機器または棟制御部に近づけるという簡単な操作で、設定サーバ上のデータを本インターホンシステム内に送信することができる。
【００１２】
また、本発明のインターホンシステムにおいて、
前記複数の住居棟の各々の前記棟制御部は、汎用プロトコルに従って通信が行われるネットワークを介して互いに接続されていても良い。
【００１３】
この構成によれば、１つの住居棟の棟制御部に転送されたデータを住居棟間をつなぐ通信ネットワークを介して他の住居棟の棟制御部に送信することができる。
【００１４】
上記目的を達成するために、本発明のインターホンシステムに係るデータ転送方法は、
各居室に設置される居室親機と、前記居室親機を呼出可能な端末機器と、前記居室親機と前記端末機器とを通信可能に接続する棟制御部とをそれぞれ備えた複数の住居棟で構成される集合住宅に用いられるインターホンシステムに係るデータ転送方法であって、
前記端末機器または前記棟制御部と通信可能な外部機器に記憶された所定のアプリケーションを起動するステップと、
前記アプリケーションにより、前記外部機器と外部ネットワークとの通信を確立するステップと、
前記外部ネットワークに所定のデータの更新情報があるか否かを判断するステップと、
前記更新情報がある場合に、近距離無線通信手段により、前記外部機器を介して、前記端末機器または前記棟制御部と前記外部ネットワークとの間の通信を確立するステップと、
前記外部機器を通信媒体として、前記更新情報を前記外部ネットワークから前記端末機器または前記棟制御部へ転送するステップと、を備えている。
【００１５】
上記目的を達成するために、本発明のインターホンシステムに係るデータ転送方法は、
各居室に設置される居室親機と、前記居室親機を呼出可能な端末機器と、前記居室親機と前記端末機器とを通信可能に接続する棟制御部とをそれぞれ備えた複数の住居棟で構成される集合住宅に用いられるインターホンシステムに係るデータ転送方法であって、
前記端末機器または前記棟制御部と通信可能な外部機器に記憶された所定のアプリケーションを起動するステップと、
前記アプリケーションにより、前記端末機器または前記棟制御部と前記外部機器との通信を確立するステップと、
前記外部機器を介して前記端末機器または前記棟制御部と外部ネットワークとの通信を確立するステップと、
前記外部ネットワークに所定のデータの更新情報があるか否かを判断するステップと、
前記更新情報がある場合に、近距離無線通信手段により、前記外部機器を通信媒体として、前記更新情報を前記外部ネットワークから前記端末機器または前記棟制御部へ転送するステップと、を備えている。
【００１６】
これらの構成によれば、端末機器や棟制御部に外部ネットワークからデータ転送をする際に、外部機器自らが居住者情報や設定情報等を記憶することはないため、当該外部機器からのデータ流出を防ぐことができ、セキュリティを確保することができる。
【発明の効果】
【００１７】
本発明のインターホンシステムおよび当該システムに係るデータ転送方法によれば、各機器へのデータ転送の際のセキュリティを確保することができる。
【図面の簡単な説明】
【００１８】
【図１】本発明の実施形態に係るインターホンシステムの構成図である。
【図２】本発明の実施形態に係る外部機器の機能ブロック図である。
【図３】本発明の実施形態に係るインターホンシステムの動作（データ転送方法）を説明するフローチャートである。
【発明を実施するための形態】
【００１９】
以下、本実施形態の一例について、図面を参照して説明する。
図１に示すように、インターホンシステム１は、複数の住居棟（本例では住居Ａ棟〜住居Ｅ棟）で構成されるマンション等の集合住宅に用いられるシステムである。インターホンシステム１は、住居Ａ棟〜住居Ｅ棟の各々の棟に、集合玄関機１０Ａ〜１０Ｃ（端末機器の一例）と、管理室親機２０（端末機器の一例）と、居室親機３０と、棟制御部４０とを備えている。本例の図１では、住居Ａ棟のみに上記各構成を示している。各住居棟は、汎用プロトコルに従って通信が行われるネットワークＮ１（本例では、ＬＡＮ：Local Area Network）を介して互いに接続されている。また、インターホンシステム１には管理センター５が設けられており、ネットワークＮ１を介して各居住棟と接続されている。
【００２０】
集合玄関機１０Ａ〜１０Ｃ（以下、総称する場合は集合玄関機１０と称する）は、集合住宅の集合玄関や共用スペース等に設置されている。集合玄関機１０は、呼出部１０１と、カメラ１０２と、表示部１０３と、通話部１０４と、記憶部１０５等を備えている。
【００２１】
集合玄関機１０の記憶部１０５には、居住者情報や設定情報などの端末情報等が記憶されている。具体的には、例えば自棟内の各居室の部屋番号と居住者の氏名や居室の名称（例えばテナント名等）と居室親機３０を特定する居室親機ＩＤ（ＩＤ：identification）と呼出用の専用ボタンとが対応づけられた呼出テーブルや、エントランスの解除コード（非接触キーの暗号鍵）などが含まれる。
【００２２】
集合玄関機１０は、例えば呼出部１０１を操作することで自棟内の居室親機３０や自棟内の管理室親機２０を呼び出すことができるように構成されている。また、集合玄関機１０は、例えば通話部１０４を介して、居室親機３０に居る居住者や、管理室親機２０に居る管理人と通話可能に構成されている。集合玄関機１０は、呼出テーブルに基づいて、呼出処理や通話処理等の制御を行っている。集合玄関機としては、例えば集合玄関機１０Ａのようにテンキーを操作する方式のもの、集合玄関機１０Ｂのように専用ボタンを押下する方式のもの、集合玄関機１０Ｃのようにテンキーと専用ボタンの両方式を可能とするもの等がある。
【００２３】
集合玄関機１０は、インターホン回線（インターホン専用線）Ｌ１を介して棟制御部４０と通信可能に接続されている。また、集合玄関機１０は、無線通信、例えば近距離無線通信手段（ＮＦＣ：Near Field Communication（登録商標）等）により、外部機器８０（例えばスマートフォン，ＰＣ：Personal Computer等）と通信可能に接続されうる。集合玄関機１０には、無線通信機能を持たせるためのチップ（例えばNFCチップ）が搭載されている。
【００２４】
管理室親機２０は、集合住宅の管理室に設置されている。管理室親機２０は、操作部２０１、通話部２０２、表示部２０３、記憶部２０４等を備えている。
【００２５】
記憶部２０４には、上記集合玄関機１０の記憶部１０５と同様に、呼出テーブルなどの端末情報が記憶されている。
【００２６】
管理室親機２０は、例えば操作部２０１を操作することで自棟内の居室親機３０を呼び出すことができるように構成されている。また、管理室親機２０は、通話部２０２を介して、集合玄関機１０に居る訪問者や、居室親機３０に居る居住者と通話可能に構成されている。管理室親機２０は、呼出テーブルに基づいて、呼出処理や通話処理等の制御を行っている。
【００２７】
管理室親機２０は、インターホン回線Ｌ２を介して棟制御部４０と通信可能に接続されている。また、管理室親機２０は、上記集合玄関機１０と同様に、外部機器８０とＮＦＣを介して通信可能に接続されうる。管理室親機２０には、上記集合玄関機１０と同様に、無線通信機能を持たせるためのチップが搭載されている。
【００２８】
居室親機３０は、集合住宅の各住戸内に設置されている。居室親機３０は、表示部３０１、操作部３０２、通話部３０３等を備えている。居室親機３０は、例えば通話部３０３を介して、集合玄関機１０や管理室親機２０からの呼び出しに対して応答できるように構成されている。また、居室親機３０は、操作部３０２を操作することで管理室親機２０を呼び出すことができるように構成されている。各居室親機３０には、その居室機を特定する居室親機ＩＤが記憶されている。居室親機３０は、インターホン回線Ｌ３を介して棟制御部４０と通信可能に接続されている。
【００２９】
棟制御部４０は、各住居棟内に設置されている。棟制御部４０は、棟制御機４１０と、映像制御機４２０と、オーディオ制御機４３０とを備えている。また、棟制御機４１０は、記憶部４１１と、信号変換部４１２とを備えている。
【００３０】
記憶部４１１には、上記集合玄関機１０の記憶部１０５と同様に、呼出テーブルなどの端末情報が記憶されている。
【００３１】
信号変換部４１２は、インターホン回線Ｌ１〜Ｌ３で通信可能なアナログ信号を、ネットワークＮ１で通信可能なデジタル信号に変換するアナログデジタル変換部と、その反対にデジタル信号をアナログ信号に変換するデジタルアナログ変換部とを有する。
【００３２】
棟制御機４１０は、例えばインターホン回線を介して接続されている集合玄関機１０、管理室親機２０、および居室親機３０間における通信処理等の制御を呼出テーブルに基づいて行っている。また、棟制御機４１０は、例えば自棟内の居室親機３０を呼び出す信号が管理センター５から送信されてくると、呼出テーブルに基づいて、呼出処理や通話処理等の制御を行っている。
【００３３】
映像制御機４２０は、集合玄関機１０や管理センター５で撮像された映像信号を信号処理するとともに、処理した映像信号を自棟内の居室親機３０、あるいは管理室親機２０に向けて送信する。オーディオ制御機４３０は、集合玄関機１０、管理室親機２０、居室親機３０、管理センター５等から送信されてきた音声信号を信号処理するとともに、処理した音声信号を各送信先に向けて送信する。
【００３４】
棟制御部４０は、ネットワークＮ１を介して、他の住居棟（本例では住居Ｂ棟〜住居Ｅ棟）の棟制御部４０、および管理センター５の集中制御部７０（後述する）と通信可能に接続されている。また、棟制御部４０は、上記集合玄関機１０と同様に外部機器８０とＮＦＣを介して通信可能に接続されうる。棟制御部４０には、上記集合玄関機１０と同様に、無線通信機能を持たせるためのチップが搭載されている。
【００３５】
管理センター５は、住居Ａ棟〜住居Ｅ棟までの集合住宅全体を管理することができるように構成されており、集中集合玄関機５０と、集中管理室親機６０と、集中制御部７０とを備えている。
【００３６】
集中集合玄関機５０は、管理センター５の玄関に設置されている。集中集合玄関機５０は、呼出部５０１、表示部５０２、カメラ５０３、通話部５０４等を有している。集中集合玄関機５０は、例えば各住居棟の居室親機３０や管理センター５の集中管理室親機６０を呼び出すことができるように構成されている。集中集合玄関機５０は、インターホン回線Ｌ４を介して集中制御部７０と通信可能に接続されている。
【００３７】
集中管理室親機６０は、管理センター５の管理室に設置されている。集中管理室親機６０は、操作部６０１、通話部６０２、表示部６０３等を有している。集中管理室親機６０は、例えば各住居棟の居室親機３０を呼び出すことができるように構成されている。また、集中管理室親機６０は、集中集合玄関機５０に居る訪問者や、居室親機３０に居る居住者と通話可能に構成されている。集中管理室親機６０は、インターホン回線Ｌ５を介して集中制御部７０と通信可能に接続されている。
【００３８】
集中制御部７０は、例えばインターホン回線を介して接続されている集中集合玄関機５０、および集中管理室親機６０との間の通信の送受を制御している。また、集中制御部７０は、ネットワークＮ１を介して、住居Ａ棟〜住居Ｅ棟の各棟制御部４０と通信可能に接続されている。なお、集中制御部７０は、上記棟制御部４０と同様に、インターホン回線Ｌ４，Ｌ５で通信可能なアナログ信号を、ネットワークＮ１で通信可能なデジタル信号に変換する信号変換部を有する。
【００３９】
外部機器８０は、外部ネットワークＮ２（本例ではインターネット）を介して設定サーバ９０に接続されうる。図２に示すように、外部機器８０は、記憶部８１と、表示部８２と、制御部８３と、通信インタフェース（以下、通信Ｉ／Ｆと称する）８４と、を備えている。
記憶部８１には、アクセスした設定サーバ９０から所定のデータを呼び出すとともに、呼び出したデータを無線通信で別の対象機器（例えば集合玄関機１０，管理室親機２０，居室親機３０，棟制御部４０等）へ転送することが可能なアプリケーションがインストールされている。表示部８２は、記憶部８１にインストールされているアプリケーションを表示可能であって、当該アプリケーションを起動するためのユーザの操作を受け付け可能である。通信Ｉ／Ｆ８４は、外部機器８０と設定サーバ９０との間におけるインターネットＮ２を介した信号伝送路を形成するとともに、外部機器８０と、当該外部機器８０が近づけられた集合玄関機１０、管理室親機２０、および棟制御部４０との間におけるＮＦＣを介した信号伝送路を形成する。
【００４０】
制御部８３においては、記憶部８１にインストールされたアプリケーションが起動されることにより、通信確立部８３Ａと、更新情報有無判定部８３Ｂと、情報転送部８３Ｃと、が生成される。制御部８３は、操作受付部としての表示部８２に対するユーザの操作によって起動された当該アプリケーションからの命令に基づき、通信確立部８３Ａを生成し、当該通信確立部８３Ａにおいて、集合玄関機１０、管理室親機２０、および棟制御部４０と設定サーバ９０との間の通信を確立する。また、制御部８３は、アプリケーションからの命令に基づき、更新情報有無判定部８３Ｂを生成し、当該更新情報有無判定部８３Ｂにおいて、通信確立部８３Ａによって通信接続された設定サーバ９０が集合玄関機１０、管理室親機２０、および棟制御部４０に転送すべき端末情報（例えば、端末情報に関する更新情報）を有しているか否かを判断する。さらに、制御部８３は、アプリケーションからの命令に基づき、情報転送部８３Ｃを生成し、更新情報有無判定部８３Ｂにおいて設定サーバ９０が更新情報を有していると判断された場合に、情報転送部８３Ｃにおいて、インターネットＮ２を介して設定サーバ９０から更新情報を受信し、ＮＦＣを介して集合玄関機１０、管理室親機２０、および棟制御部４０へ当該更新情報を転送する。情報転送部８３Ｃは、例えば外部機器８０と設定サーバ９０との間で用いられるＬＴＥ（Long Term Evolution）の通信回線から、外部機器８０と集合玄関機１０、管理室親機２０、および棟制御部４０との間で用いられるＮＦＣの通信回線へ、自動的に切り替えてデータを転送することができる機能を有する。
このように、本実施形態の場合、設定サーバ９０から呼び出されたデータは、外部機器８０内に記憶されることなく、外部機器８０を介して（スルーして）対象機器へ転送される。すなわち、外部機器８０は、データの転送を中継するための通信媒体として用いられる。
【００４１】
外部機器８０には、上記集合玄関機１０と同様に、無線通信機能を持たせるためのチップが搭載されている。
【００４２】
設定サーバ９０には、集合玄関機１０、管理室親機２０、および棟制御部４０の記憶部に記憶される端末情報（呼出テーブルや解除コードなど）のマスターデータが記憶されている。設定サーバ９０の端末情報は、例えばインターホンシステム１の施工業者によって管理されるとともに、更新ごとに設定変更される。
【００４３】
次に、図３を参照して、インターホンシステム１の動作、特に本実施形態に係るデータ転送方法について説明する。
例えば施工時において、各住居棟の集合玄関機１０、管理室親機２０、および棟制御部４０にインターホンシステム１の端末情報を記憶させる場合、以下のように動作する。
【００４４】
外部機器８０を携帯している操作者（施工業者等）は、外部機器８０の表示部（操作受付部）８２に表示されたアプリケーションを起動させる（ステップＳ１）。起動されたアプリケーションは、設定サーバ９０に記憶されている端末情報を呼び出して転送するために、通信確立部８３Ａにおいて、例えばインターネットＮ２を介して外部機器８０と設定サーバ９０との通信を確立する（ステップＳ２）。外部機器８０と設定サーバ９０との通信が確立すると、外部機器８０は、更新情報有無判定部８３Ｂにおいて、設定サーバ９０に端末情報の更新情報があるか否かを判断する（ステップＳ３）。設定サーバ９０に更新情報が無いと判断された場合は（ステップＳ３のＮｏ）、外部機器８０は、アプリケーションの命令に応じて、更新情報がない旨を表示部８２に表示したうえで、アプリケーションを終了する（ステップＳ４）。一方、設定サーバ９０に更新情報があると判断された場合は（ステップＳ３のＹｅｓ）、外部機器８０は、アプリケーションの命令に応じて、更新情報がある旨を表示部８２に表示する（ステップＳ５）。当該表示を受けて、操作者は、外部機器８０を例えば集合玄関機１０Ｃに近づけて外部機器８０と集合玄関機１０Ｃ間でＮＦＣによる通信を確立する（ステップＳ６）。続いて、操作者は、外部機器８０を通信媒体として、設定サーバ９０から呼び出した端末情報（更新情報）をそのまま（外部機器８０内に保存させずに）集合玄関機１０Ｃに転送する（ステップＳ７）。転送された端末情報は、集合玄関機１０Ｃの記憶部１０５に記憶される。端末情報の転送が終了すると、外部機器８０は、アプリケーションの命令に応じて、転送作業が終了したことを表示部８２に表示し、アプリケーションを終了する（ステップＳ８）。
【００４５】
操作者は、他の集合玄関機１０Ａ，１０Ｂ、管理室親機２０、および棟制御部４０の各々に対して、同様の操作を行って端末情報を転送する。あるいは、操作者は、集合玄関機１０Ｃに端末情報を転送した後、インターホン回線を介して、集合玄関機１０Ｃから他の集合玄関機１０Ａ，１０Ｂ、管理室親機２０、および棟制御部４０へ端末情報を送信するようにしても良い。また、操作者は、例えば住居Ａ棟の棟制御部４０に端末情報を転送した後、ネットワークＮ１を介して、住居Ａ棟の棟制御部４０から他の住居棟の棟制御部４０へ端末情報を送信するようにしても良い。
【００４６】
なお、本実施形態に係るインターホンシステム１においては、各集合玄関機１０にて操作者が手動で端末情報の更新や変更を行うことができる。集合玄関機１０で端末情報の更新操作が行われた場合には、更新された端末情報を集合玄関機１０から外部機器８０を介して設定サーバ９０へ転送し、設定サーバ９０に記憶される。これにより、集合玄関機１０に記憶された端末情報と設定サーバ９０に記憶された端末情報との整合性をとることができる。
【００４７】
このようなインターホンシステム１によれば、通信媒体として用いられる外部機器８０により、インターネットＮ２を介して、設定サーバ９０から呼び出された端末情報は、外部機器８０に保存されずに集合玄関機１０、管理室親機２０、および棟制御部４０に転送される。このため、例えば端末情報の転送作業に用いられた外部機器８０を紛失してしまったような場合でも、その外部機器８０には端末情報が保存されていないので、外部機器８０からの端末情報の流出を防ぐことができセキュリティを確保することができる。
【００４８】
また、本実施形態においては、外部機器８０、集合玄関機１０、管理室親機２０、および棟制御部４０にそれぞれ近距離無線通信機能を設けている。このため、外部機器８０を集合玄関機１０、管理室親機２０、および棟制御部４０に近づけるという簡単な操作で、設定サーバ９０上のデータをインターホンシステム１内に転送することができるので、作業効率を大幅に高めることができる。
【００４９】
また、住居Ａ棟〜住居Ｅ棟の各々の棟制御部４０は、ネットワークＮ１を介して互いに接続されている。このため、１つの住居棟の棟制御部４０に転送された端末情報を住居棟間をつなぐネットワークＮ１を介して他の住居棟の棟制御部４０に送信することができるので、作業効率を大幅に高めることができる。
【００５０】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【００５１】
上記の実施形態においては、外部機器８０と設定サーバ９０とを接続して、設定サーバ９０に更新情報があるかを判断した後に、外部機器８０を集合玄関機１０等に近づけて外部機器８０と集合玄関機１０との通信を確立させて、更新情報を設定サーバ９０から集合玄関機１０へ転送する構成としているが、この例に限られない。例えば、外部機器８０にインストールされているアプリケーションの起動後に、外部機器８０を集合玄関機１０等に近づけて外部機器８０と集合玄関機１０との通信を確立させてから、外部機器８０を設定サーバ９０に接続し、更新情報を設定サーバ９０から集合玄関機１０へ転送してもよい。
【符号の説明】
【００５２】
１：インターホンシステム、５：管理センター、１０，１０Ａ〜１０Ｃ：集合玄関機（端末機器の一例）、２０：管理室親機（端末機器の一例）、３０：居室親機、４０：棟制御部、８０：外部機器、８１：記憶部、８２：表示部、８３：制御部、８３Ａ：通信確立部、８３Ｂ：更新情報有無判定部、８３Ｃ：情報転送部、８４：通信インタフェース（通信Ｉ／Ｆ）、９０：設定サーバ、１０５，２０４，４１１：記憶部、４１０：棟制御機、４１２：信号変換部、Ｎ１：ネットワーク、Ｎ２：外部ネットワーク
【図１】
0006660221.tif 000002
【図２】
0006660221.tif 000003
【図３】
0006660221.tif 000004